【手続補正書】
【提出日】平成18年8月25日(2006.8.25)
【手続補正１】
【補正対象書類名】明細書
【補正対象項目名】特許請求の範囲
【補正方法】変更
【補正の内容】
【特許請求の範囲】
【請求項１】  配列番号１（図６）に示すヌクレオチド配列の少なくとも約５０％に一致するまたは相補的である単離ヌクレオチド配列。
【請求項２】  前記配列が配列番号１で表されることを特徴とする請求項１に記載の単離ヌクレオチド配列。
【請求項３】  請求項１または２に記載の前記ヌクレオチド配列によってコードされた精製タンパク質。
【請求項４】  ポリ不飽和脂肪酸またはモノ不飽和脂肪酸を伸張させる精製ポリペプチドであり、かつ請求項３に記載の前記精製タンパク質のアミノ酸配列と少なくとも約５０％のアミノ酸類似性を有する精製ポリペプチド。
【請求項５】  ａ）配列番号１（図６）で表される前記ヌクレオチド配列を単離する工程と、
ｂ）ｉ）プロモーター、およびｉｉ）該プロモーターに機能的に連結した前記単離ヌクレオチド配列を含むベクターを構築する工程と、
ｃ）前記エロンガーゼ酵素の発現に十分な時間および条件の下で、前記ベクターを宿主細胞に導入する工程とを含むエロンガーゼ酵素の製造方法。
【請求項６】  ａ）プロモーター、およびｂ）該プロモーターに機能的に連結した配列番号１（図６）によって表されるヌクレオチド配列を含むベクター。
【請求項７】  請求項６に記載の前記ベクターを含む宿主細胞。
【請求項８】  前記ベクターの前記ヌクレオチド配列の発現が、前記植物細胞、植物または植物組織によるモノ不飽和脂肪酸およびポリ不飽和脂肪酸からなる群から選択される少なくとも一つの脂肪酸の生成をもたらすことを特徴とする、請求項６に記載の前記ベクターを含む植物細胞、植物または植物組織。
【請求項９】  請求項８に記載の植物細胞、植物または植物組織によって発現される一つまたは複数の植物油または脂肪酸。
【請求項１０】  請求項６に記載のベクターを含むトランスジェニック植物であって、前記ベクターの前記ヌクレオチド配列の発現が、前記トランスジェニック植物の種子中にポリ不飽和脂肪酸の生成をもたらすことを特徴とするトランスジェニック植物。
【請求項１１】  そのゲノムが、プロモーターに機能的に連結したエロンガーゼをコードするＤＮＡ配列を含むヒト以外のトランスジェニック哺乳動物。
【請求項１２】  前記ＤＮＡ配列が配列番号１（図６）によって表されることを特徴とする請求項１１に記載のヒト以外のトランスジェニック哺乳動物。
【請求項１３】  請求項１２に記載の前記ヒト以外のトランスジェニック哺乳動物によって生成される体液であって、前記体液が、検出可能なレベルの少なくとも一つのエロンガーゼまたはその生成物を含むことを特徴とする前記体液。
【請求項１４】  ａ）配列番号１（図６）で表される前記ヌクレオチド配列を単離する工程と、
ｂ）前記単離ヌクレオチド配列を含むベクターを構築する工程と、
ｃ）前記単離ヌクレオチド配列によってコードされたエロンガーゼ酵素の発現に十分な時間および条件の下で、前記ベクターを宿主細胞に導入する工程と、
ｄ）基質ポリ不飽和脂肪酸を生成物ポリ不飽和脂肪酸に変換するために、前記基質に前記発現エロンガーゼ酵素を曝露する工程、とを含むポリ不飽和脂肪酸の製造方法。
【請求項１５】  前記の生成物ポリ不飽和脂肪酸を別のポリ不飽和脂肪酸に変換するために、前記の生成物ポリ不飽和脂肪酸を少なくとも一つのデサチュラーゼに曝露する工程をさらに含むことを特徴とする請求項１４に記載の方法。
【請求項１６】  前記別のポリ不飽和脂肪酸を最終ポリ不飽和脂肪酸に変換するために、前記別の不飽和ポリ脂肪酸を、少なくとも一つのエロンガーゼと少なくとも一つの付加的なデサチュラーゼから成る群から選択された一つまたは複数の酵素に曝露する工程をさらに含むことを特徴とする請求項１５に記載の方法。
【請求項１７】  請求項１４に記載の方法に従って製造された前記生成物ポリ不飽和脂肪酸と、請求項１５に記載の方法に従って製造された前記別のポリ不飽和脂肪酸と、請求項１６に記載の方法に従って製造された前記最終ポリ不飽和脂肪酸とから成る群から選択された少なくとも一つのポリ不飽和脂肪酸を含むことを特徴とする栄養組成物。
【請求項１８】  １）請求項１４に記載の方法に従って製造された前記生成物ポリ不飽和脂肪酸と、請求項１５に記載の方法に従って製造された前記別のポリ不飽和脂肪酸と、請求項１６に記載の方法に従って製造された前記最終ポリ不飽和脂肪酸とから成る群から選択された少なくとも一つのポリ不飽和脂肪酸と、２）薬学的に許容される担体とを含む薬学的組成物。
【請求項１９】  請求項１４に記載の方法に従って製造された前記生成物ポリ不飽和脂肪酸と、請求項１５に記載の方法に従って製造された前記別のポリ不飽和脂肪酸と、請求項１６に記載の方法に従って製造された前記最終ポリ不飽和脂肪酸とから成る群から選択された少なくとも一つのポリ不飽和脂肪酸を含む動物飼料。
【請求項２０】  請求項１７に記載の前記栄養組成物を含むことを特徴とする、ポリ不飽和脂肪酸の摂取量の不足によって起こる状態を防止または治療するための医薬組成物。
【請求項２１】  配列番号２（図２２）に示されたヌクレオチド配列の少なくとも約３５％に一致するまたは相補的である単離ヌクレオチド配列。
【請求項２２】  前記配列が配列番号２で表されることを特徴とする請求項２１に記載の単離ヌクレオチド配列。
【請求項２３】  請求項２１または２２に記載の前記ヌクレオチド配列によってコードされた精製タンパク質。
【請求項２４】  ポリ不飽和脂肪酸を伸張させる精製ポリペプチドであり、かつ請求項２３に記載の前記精製タンパク質のアミノ酸配列と少なくとも約３０％のアミノ酸類似性を有する精製ポリペプチド。
【請求項２５】  ａ）配列番号２（図２２）で表される前記ヌクレオチド配列を単離する工程と、
ｂ）ｉ）プロモーター、およびｉｉ）該ブロモーターに機能的に連結した前記単離ヌクレオチド配列を含むベクターを構築する工程と、
ｃ）前記エロンガーゼ酵素の発現に十分な時間および条件の下で、前記ベクターを宿主細胞に導入する工程とを含むエロンガーゼ酵素の製造方法。
【請求項２６】  ａ）プロモーター、およびｂ）該プロモーターに機能的に連結した配列番号２（図２２）によって表されるヌクレオチド配列を含むベクター。
【請求項２７】  請求項２６に記載の前記ベクターを含む宿主細胞。
【請求項２８】  請求項２６に記載のベクターを含む植物細胞、植物または植物組織であって、前記ベクターの前記ヌクレオチド配列の発現が、前記植物細胞、植物または植物組織によるポリ不飽和脂肪酸の生成をもたらすことを特徴とする、前記植物細胞、植物または植物組織。
【請求項２９】  請求項２８に記載の植物細胞、植物または植物組織によって発現される一つまたは複数の植物油または脂肪酸。
【請求項３０】  請求項２６に記載のベクターを含むトランスジェニック植物であって、前記ベクターの前記ヌクレオチド配列の発現が、前記トランスジェニック植物の種子中にポリ不飽和脂肪酸の生成をもたらすことを特徴とするトランスジェニック植物。
【請求項３１】  そのゲノムが、プロモーターに機能的に連結したエロンガーゼをコードするＭ．ａｌｐｉｎａ由来のＤＮＡ配列を含むヒト以外のトランスジェニック哺乳動物。
【請求項３２】  前記ＤＮＡ配列が配列番号２（図２２）によって表されることを特徴とする請求項３１に記載のヒト以外のトランスジェニック哺乳動物。
【請求項３３】  請求項３２に記載の前記ヒト以外のトランスジェニック哺乳動物によって生成される体液であって、前記体液が、検出可能なレベルの少なくとも一つのエロンガーゼまたはその生成物を含むことを特徴とする前記体液。
【請求項３４】  ａ）配列番号２（図２２）で表される前記ヌクレオチド配列を単離する工程と、
ｂ）前記単離ヌクレオチド配列を含むベクターを構築する工程と、
ｃ）前記単離ヌクレオチド配列によってコードされたエロンガーゼ酵素の発現に十分な時間および条件の下で、前記ベクターを宿主細胞に導入する工程と、
ｄ）基質ポリ不飽和脂肪酸を生成物ポリ不飽和脂肪酸に変換するために、前記基質に前記発現されたエロンガーゼ酵素を曝露する工程、とを含むポリ不飽和脂肪酸の製造方法。
【請求項３５】  前記の生成物ポリ不飽和脂肪酸を別のポリ不飽和脂肪酸に変換するために、前記の発現されたエロンガーゼ酵素を少なくとも一つのデサチュラーゼに曝露する工程をさらに含むことを特徴とする請求項３４に記載の方法。
【請求項３６】  前記別のポリ不飽和脂肪酸を最終ポリ不飽和脂肪酸に変換するために、前記別の不飽和ポリ脂肪酸を、少なくとも一つのエロンガーゼと、少なくとも一つの付加的なデサチュラーゼとから成る群から選択された一つまたは複数の酵素に曝露する工程をさらに含むことを特徴とする請求項３５に記載の方法。
【請求項３７】  請求項３４に記載の方法に従って製造された前記生成物ポリ不飽和脂肪酸と、請求項３５に記載の方法に従って製造された前記別のポリ不飽和脂肪酸と、請求項３６に記載の方法に従って製造された前記最終ポリ不飽和脂肪酸とから成る群から選択された少なくとも一つのポリ不飽和脂肪酸を含むことを特徴とする栄養組成物。
【請求項３８】  １）請求項３４に記載の方法に従って製造された前記生成物ポリ不飽和脂肪酸と、請求項３５に記載の方法に従って製造された前記別のポリ不飽和脂肪酸と、請求項３６に記載の方法に従って製造された前記最終ポリ不飽和脂肪酸とから成る群から選択された少なくとも一つのポリ不飽和脂肪酸と、２）薬学的に許容される担体とを含む薬学的組成物。
【請求項３９】  請求項３４に記載の方法に従って製造された前記生成物ポリ不飽和脂肪酸と、請求項３５に記載の方法に従って製造された前記別のポリ不飽和脂肪酸と、請求項３６に記載の方法に従って製造された前記最終ポリ不飽和脂肪酸とから成る群から選択された少なくとも一つのポリ不飽和脂肪酸を含む動物飼料。
【請求項４０】  請求項３７に記載の前記栄養組成物を含むことを特徴とする、ポリ不飽和脂肪酸の摂取量の不足によって起こる状態を防止または治療するための医薬組成物。
【請求項４１】  配列番号３（図４３）に示されたヌクレオチド配列の少なくとも約３５％に一致するまたは相補的である単離ヌクレオチド配列。
【請求項４２】  前記配列が配列番号３で表されることを特徴とする請求項４１に記載の単離ヌクレオチド配列。
【請求項４３】  請求項４１または４２に記載の前記ヌクレオチド配列によってコードされた精製タンパク質。
【請求項４４】  ポリ不飽和脂肪酸またはモノ不飽和脂肪酸を伸張させる精製ポリペプチドであり、かつ請求項４３に記載の前記精製タンパク質のアミノ酸配列と少なくとも約３０％のアミノ酸類似性を有する精製ポリペプチド。
【請求項４５】  ａ）配列番号３（図４３）で表される前記ヌクレオチド配列を単離する工程と、
ｂ）ｉ）プロモーター、およびｉｉ）該プロモーターに機能的に連結した前記単離ヌクレオチド配列を含むベクターを構築する工程と、
ｃ）前記エロンガーゼ酵素の発現に十分な時間および条件の下で、前記ベクターを宿主細胞に導入する工程とを含むエロンガーゼ酵素の製造方法。
【請求項４６】  ａ）プロモーター、およびｂ）該プロモーターに機能的に連結した配列番号３（図４３）によって表されるヌクレオチド配列を含むベクター。
【請求項４７】  請求項４６に記載の前記ベクターを含む宿主細胞。
【請求項４８】  前記ベクターの前記ヌクレオチド配列の発現が、前記植物細胞、植物または植物組織によるモノ不飽和脂肪酸およびポリ不飽和脂肪酸から成る群から選択された少なくとも一つの脂肪酸の生成をもたらすことを特徴とする、請求項４６に記載の前記ベクターを含む植物細胞、植物または植物組織。
【請求項４９】  請求項４８に記載の植物細胞、植物または植物組織によって発現される一つまたは複数の植物油または脂肪酸。
【請求項５０】  請求項４６に記載のベクターを含むトランスジェニック植物であって、前記ベクターの前記ヌクレオチド配列の発現が、前記トランスジェニック植物の種子中にポリ不飽和脂肪酸の生成をもたらすことを特徴とするトランスジェニック植物。
【請求項５１】  そのゲノムが、プロモーターに機能的に連結したエロンガーゼをコードするヒトＤＮＡ配列を含むヒト以外のトランスジェニック哺乳動物。
【請求項５２】  前記ＤＮＡ配列が配列番号３（図４３）によって表されることを特徴とする請求項５１に記載のヒト以外のトランスジェニック哺乳動物。
【請求項５３】  請求項５２に記載の前記ヒト以外のトランスジェニック哺乳動物によって生成される体液であって、前記体液が、検出可能なレベルの少なくとも一つのエロンガーゼまたはその生成物を含むことを特徴とする前記体液。
【請求項５４】  ａ）配列番号３（図４３）で表される前記ヌクレオチド配列を単離する工程と、
ｂ）前記単離ヌクレオチド配列を含むベクターを構築する工程と、
ｃ）前記単離ヌクレオチド配列によってコードされたエロンガーゼ酵素の発現に十分な時間および条件の下で、前記ベクターを宿主細胞に導入する工程と、
ｄ）基質ポリ不飽和脂肪酸を生成物ポリ不飽和脂肪酸に変換するために、前記基質に前記発現されたエロンガーゼ酵素を曝露する工程、とを含むポリ不飽和脂肪酸の製造方法。
【請求項５５】  前記の生成物ポリ不飽和脂肪酸を別のポリ不飽和脂肪酸に変換するために、前記の生成物ポリ不飽和脂肪酸を少なくとも一つのデサチュラーゼに曝露する工程をさらに含むことを特徴とする請求項５４に記載の方法。
【請求項５６】  前記別のポリ不飽和脂肪酸を最終ポリ不飽和脂肪酸に変換するために、前記別の不飽和ポリ脂肪酸を、少なくとも一つのエロンガーゼと、少なくとも一つの付加的なデサチュラーゼとから成る群から選択された一つまたは複数の酵素に曝露する工程をさらに含むことを特徴とする請求項５５に記載の方法。
【請求項５７】  請求項５４に記載の方法に従って製造された前記生成物ポリ不飽和脂肪酸と、請求項５５に記載の方法に従って製造された前記別のポリ不飽和脂肪酸と、請求項５６に記載の方法に従って製造された前記最終ポリ不飽和脂肪酸とから成る群から選択された少なくとも一つのポリ不飽和脂肪酸を含むことを特徴とする栄養組成物。
【請求項５８】  １）請求項５４に記載の方法に従って製造された前記生成物ポリ不飽和脂肪酸と、請求項５５に記載の方法に従って製造された前記別のポリ不飽和脂肪酸と、請求項５６に記載の方法に従って製造された前記最終ポリ不飽和脂肪酸とから成る群から選択された少なくとも一つのポリ不飽和脂肪酸と、２）薬学的に許容される担体とを含む薬学的組成物。
【請求項５９】  請求項５４に記載の方法に従って製造された前記生成物ポリ不飽和脂肪酸と、請求項５５に記載の方法に従って製造された前記別のポリ不飽和脂肪酸と、請求項５６に記載の方法に従って製造された前記最終ポリ不飽和脂肪酸とから成る群から選択された少なくとも一つのポリ不飽和脂肪酸を含む動物飼料。
【請求項６０】  請求項５９に記載の前記栄養組成物を含むことを特徴とする、ポリ不飽和脂肪酸の摂取量の不足によって起こる状態を防止または治療するための医薬組成物。
【請求項６１】  配列番号４（図４６）に示されたヌクレオチド配列の少なくとも約３５％に一致するまたは相補的である単離ヌクレオチド配列。
【請求項６２】  前記配列が配列番号４で表されることを特徴とする請求項６１に記載の単離ヌクレオチド配列。
【請求項６３】  請求項６１または６２に記載の前記ヌクレオチド配列によってコードされた精製タンパク質。
【請求項６４】  ポリ不飽和脂肪酸を伸張させる精製ポリペプチドであり、かつ請求項６３に記載の前記精製タンパク質のアミノ酸配列と少なくとも約３０％のアミノ酸類似性を有する精製ポリペプチド。
【請求項６５】  ａ）配列番号４（図４６）で表される前記ヌクレオチド配列を単離する工程と、
ｂ）ｉ）プロモーター、およびｉｉ）該プロモーターに機能的に連結した前記単離ヌクレオチド配列を含むベクターを構築する工程と、
ｃ）前記エロンガーゼ酵素の発現に十分な時間および条件の下で、前記ベクターを宿主細胞に導入する工程とを含むエロンガーゼ酵素の製造方法。
【請求項６６】  ａ）プロモーター、およびｂ）該プロモーターに機能的に連結した配列番号４（図４６）によって表されるヌクレオチド配列を含むベクター。
【請求項６７】  請求項６６に記載の前記ベクターを含む宿主細胞。
【請求項６８】  請求項６６に記載のベクターを含む植物細胞、植物または植物組織であって、前記ベクターの前記ヌクレオチド配列の発現が、前記植物細胞、植物または植物組織によるポリ不飽和脂肪酸の生成をもたらすことを特徴とする、前記植物細胞、植物または植物組織。
【請求項６９】  請求項６８に記載の植物細胞、植物または植物組織によって発現される一つまたは複数の植物油または脂肪酸。
【請求項７０】  請求項６６に記載のベクターを含むトランスジェニック植物であって、前記ベクターの前記ヌクレオチド配列の発現が、前記トランスジェニック植物の種子中にポリ不飽和脂肪酸の生成をもたらすことを特徴とするトランスジェニック植物。
【請求項７１】  そのゲノムが、プロモーターに機能的に連結したエロンガーゼをコードする、Ｃ．ｅｌｅｇａｎｓ由来のＤＮＡ配列を含むヒト以外のトランスジェニック哺乳動物。
【請求項７２】  請求項７１に記載の前記ヒト以外のトランスジェニック哺乳動物によって生成される体液であって、前記体液が、検出可能なレベルの少なくとも一つのエロンガーゼまたはその生成物を含むことを特徴とする前記体液。
【請求項７３】  ａ）配列番号４（図４６）で表される前記ヌクレオチド配列を単離する工程と、
ｂ）前記単離ヌクレオチド配列を含むベクターを構築する工程と、
ｃ）前記単離ヌクレオチド配列によってコードされたエロンガーゼ酵素の発現に十分な時間および条件の下で、前記ベクターを宿主細胞に導入する工程と、
ｄ）基質ポリ不飽和脂肪酸を生成物ポリ不飽和脂肪酸に変換するために、前記基質に前記発現されたエロンガーゼ酵素を曝露する工程、とを含むポリ不飽和脂肪酸の製造方法。
【請求項７４】  前記の生成物ポリ不飽和脂肪酸を別のポリ不飽和脂肪酸に変換するために、前記の発現されたエロンガーゼ酵素を少なくとも一つのデサチュラーゼに曝露する工程をさらに含むことを特徴とする請求項７３に記載の方法。
【請求項７５】  前記別のポリ不飽和脂肪酸を最終ポリ不飽和脂肪酸に変換するために、前記別の不飽和ポリ脂肪酸を、少なくとも一つのエロンガーゼと少なくとも一つの付加的なデサチュラーゼから成る群から選択された一つまたは複数の酵素に曝露する工程をさらに含むことを特徴とする請求項７４に記載の方法。
【請求項７６】  請求項７３に記載の方法に従って製造された前記生成物ポリ不飽和脂肪酸と、請求項７４に記載の方法に従って製造された前記別のポリ不飽和脂肪酸と、請求項７５に記載の方法に従って製造された前記最終ポリ不飽和脂肪酸とから成る群から選択された少なくとも一つのポリ不飽和脂肪酸を含むことを特徴とする栄養組成物。
【請求項７７】  １）請求項７３に記載の方法に従って製造された前記生成物ポリ不飽和脂肪酸と、請求項７４に記載の方法に従って製造された前記別のポリ不飽和脂肪酸と、請求項７５に記載の方法に従って製造された前記最終ポリ不飽和脂肪酸とから成る群から選択された少なくとも一つのポリ不飽和脂肪酸と、２）薬学的に許容される担体とを含む薬学的組成物。
【請求項７８】  請求項７３に記載の方法に従って製造された前記生成物ポリ不飽和脂肪酸と、請求項７４に記載の方法に従って製造された前記別のポリ不飽和脂肪酸と、請求項７５に記載の方法に従って製造された前記最終ポリ不飽和脂肪酸とから成る群から選択された少なくとも一つのポリ不飽和脂肪酸を含む動物飼料。
【請求項７９】  請求項７６に記載の前記栄養組成物を含むことを特徴とする、ポリ不飽和脂肪酸の摂取量の不足によって起こる状態を防止または治療するための医薬組成物。